(57)【要約】【課題】シール材の劣化を抑制して、防水性能を確保し、施工性を向上させることができる配線引込具を提供する。【解決手段】配線引込具１は、屋根材７の上に設置されるベース体４と、このベース体４を覆うカバー体５とで構成される本体部材２を備えている。本体部材２に、配線空間部２３と、導出孔２１と、導入孔２４とが形成されている。導入孔２４は、本体部材２の軒側端面において開口している。本体部材２に、導入孔２４の開口縁部と、配線８との間隙を閉塞するシール材９０が設けられている。カバー体５が、軒側へ向けて突出すると共に、導入孔２４の上方に配置されるカバー片６００を備える。【選択図】図１
2014198943.tif 000002
【特許請求の範囲】
【請求項１】
屋根材の上に設置されるベース体と、このベース体を覆うカバー体とで構成される本体部材を備え、
前記本体部材に、配線が挿通される配線空間部と、この配線空間部と屋内とを連通する導出孔と、前記配線空間部と屋外とを連通する導入孔とが形成され、
前記導入孔は、前記本体部材の軒側端面において開口し、
前記本体部材に、前記導入孔の開口縁部と、前記配線との間隙を閉塞するシール材が設けられた配線引込具であって、
前記カバー体が、軒側へ向けて突出すると共に、前記導入孔の上方に配置されるカバー片を備えることを特徴とする配線引込具。
【請求項２】
前記カバー片は、その軒側端部が、前記導入孔の開口縁部下端の水平位置以下になるように設けられることを特徴とする請求項１に記載の配線引込具。
【発明の詳細な説明】
【技術分野】
【０００１】
本発明は、屋根において太陽電池モジュール等の配線を屋外から屋内へ引き込むために用いられる配線引込具に関するものである。
【背景技術】
【０００２】
屋根材の上に太陽電池モジュール等の屋上設備機器が設置される場合、屋上設備機器に接続されている配線を屋根下地を介して屋外から屋内へ引き込む必要がある。このため、屋根材と屋上設備機器との間に、例えば特許文献１に記載されているような配線を引き込むための部材（配線引込具）が設けられる。
【０００３】
特許文献１に記載の配線引込具では、屋根材の上に設置される本体部材の軒側端面に、配線を屋外から屋内へ引き込むための導入孔が形成されている。そして、この導入孔から雨水等の水が屋内へ浸入するのを抑制するため、導入孔には、発泡材等からなるシール材が設けられている。
【０００４】
しかし、上記のような配線引込具では、本体部材の軒側端面においてシール材が外部に露出しているため、屋根材と屋上設備機器との間に照射された太陽光の紫外線がシール材にあたり、この紫外線によってシール材が劣化して、防水性能が確保できなくなるおそれがあった。このため、従来の配線引込具は、紫外線があたりにくい位置（例えば、屋上設備機器の真下など）に設けなければならず、取り付け位置が限定されて、施工の際に配線引込具の設置位置を任意に選択することが難しいという問題があった。
【先行技術文献】
【特許文献】
【０００５】
【特許文献１】特開２０１２−２０５４号公報
【発明の概要】
【発明が解決しようとする課題】
【０００６】
本発明は上記の点に鑑みてなされたものであり、シール材の劣化を抑制して、防水性能を確保し、施工性を向上させることができる配線引込具を提供することを目的とするものである。
【課題を解決するための手段】
【０００７】
本発明に係る配線引込具は、屋根材の上に設置されるベース体と、このベース体を覆うカバー体とで構成される本体部材を備え、
前記本体部材に、配線が挿通される配線空間部と、この配線空間部と屋内とを連通する導出孔と、前記配線空間部と屋外とを連通する導入孔とが形成され、
前記導入孔は、前記本体部材の軒側端面において開口し、
前記本体部材に、前記導入孔の開口縁部と前記配線との間隙を閉塞するシール材が設けられた配線引込具であって、
前記カバー体が、軒側へ向けて突出すると共に、前記導入孔の上方に配置されるカバー片を備えることを特徴とするものである。
【０００８】
本発明に係る配線引込具では、前記カバー片は、その軒側端部が、前記導入孔の開口縁部下端の水平位置以下になるように設けられることが好ましい。
【発明の効果】
【０００９】
本発明の配線引込具は、シール材が設けられる導入孔の上方に、軒側へ向けて突出するカバー片が配置される。これにより、屋根材と屋上設備機器との間に太陽光の紫外線が照射されても、この紫外線をシール材にあたりにくくすることができる。この結果、シール材の劣化を抑制して、防水性能を確保することができる。また、紫外線の照射によるシール材の劣化について考慮しなくてもよくなるため、施工の際に配線引込具の設置位置を任意に選択することができるようになり、施工性を向上させることができる。
【００１０】
更に、屋根材上で雨水等の水が屋根の傾斜に沿って軒側へ流れる場合、配線引込具の方に水が流れてきても、カバー片によって水を軒側へ排水することができる。この結果、配線引込具を介して水が屋内へ浸入するのが抑制され、防水性を向上させることができる。
【図面の簡単な説明】
【００１１】
【図１】本発明に係る配線引込具の一例を示す断面図である。
【図２】本発明で使用されるベース体の一例を示し、（ａ）は平面図、（ｂ）は正面図、（ｃ）は背面図、（ｄ）は側面図、（ｅ）は（ａ）におけるＡ−Ａ´断面図、（ｆ）は一部の断面図である。
【図３】本発明で使用されるベース体の一例を示す斜視図である。
【図４】本発明で使用されるカバー体の一例を示し、（ａ）は平面図、（ｂ）は正面図、（ｃ）は背面図、（ｄ）は側面図である。
【図５】本発明で使用される押さえ部材の一例を示し、（ａ）は平面図、（ｂ）は正面図、（ｃ）は背面図、（ｄ）は側面図である。
【図６】本発明で使用される下部材の一例を示し、（ａ）は正面図、（ｂ）は側面図である。
【図７】本発明で使用される導入孔のシール材の一例を示し、（ａ）は平面図、（ｂ）は正面図である。
【図８】本発明で使用される導入孔のシール材の他の一例を示し、（ａ）は平面図、（ｂ）は正面図である。
【図９】本発明に係る配線引込具の他の一例を示すものであり、（ａ）及び（ｂ）は断面図である。
【図１０】屋根に太陽電池モジュールが取り付けられる様子を示す斜視図である。
【発明を実施するための形態】
【００１２】
以下、配線引込具１が屋根に設置されている状態を基準にして、配線引込具１の構造を説明する。尚、以下の説明においては、実際の屋根における軒及び棟の位置にかかわらず、屋根の傾斜方向を軒棟方向といい、軒棟方向に沿った斜め上側を棟側、軒棟方向に沿った斜め下側を軒側という。
【００１３】
図１に、本発明に係る配線引込具１の一例を示す。
【００１４】
配線引込具１は、本体部材２及び下部材３を備えている。本体部材２は、ベース体４と、カバー体５とで構成されている。本体部材２に、配線空間部２３と、導出孔２１と、導入孔２４とが形成されている。導入孔２４は、本体部材２の軒側端面において開口している。本体部材２には、シール材９０が設けられている。カバー体５が、軒側へ向けて突出すると共に、導入孔２４の上方に配置されるカバー片６００を備える。
【００１５】
ベース体４は、屋根材７の上に設置される部材である。図２及び図３に示されるベース体４は、樹脂材料等の適宜の材料から形成される。ベース体４は平板状且つ平面視矩形状に形成されている。このベース体４には、上下に貫通する導出孔２１が形成されている。この導出孔２１の開口縁には、上方に向けて突出するリブ（外囲リブ４１５）が形成されており、この外囲リブ４１５により導出孔２１が全周に亘って囲まれている。外囲リブ４１５における導出孔２１よりも軒側に位置する部位（軒側部位４１６という）では、上方への突出高さが他の部分よりも低くなっている。この軒側部位４１６の上面は、棟側から軒側へ向けて下方へ凸状に湾曲する曲面となっている。この軒側部位４１６の曲面は、配線８が軒側部位４１６上に配置される場合に配線８が軒側部位４１６によって傷付かないようにするために形成されている。更にこの軒側部位４１６の上面には、弾性部材９５（図２（ａ）参照）が接着されるなどして取り付けられていてもよい。この弾性部材９５は平板状であり、軒側部位４１６の曲面に沿って湾曲するように取り付けられる。この弾性部材９５は弾性を有する。この弾性部材９５の材料としては、例えば、ＥＰＤＭゴムなどの適宜のゴムやエラストマー、或いは独立気泡や半独立気泡を有する多孔質の部材などが挙げられる。
【００１６】
ベース体４の上面には、上方に突出する外枠部４５が、導出孔２１を取り囲むように形成されている。但し、導出孔２１に対して軒側の位置には、外枠部４５が形成されていない部位が存在する。この部位を切欠き部４３という。外枠部４５の一部は、水流制御部４１２を構成している。この水流制御部４１２は導出孔２１よりも棟側にあり、軒棟方向と交差する方向に長い二つのリブ４１０，４１１で構成されている。この二つのリブ４１０，４１１は軒棟方向に間隔をあけて並んでいる。二つのリブ４１０，４１１にはそれぞれ軒棟方向に貫通すると共に上方に開放されている複数の水抜き用入口孔４１３が形成されている。各リブ４１０，４１１に形成されている水抜き用入口孔４１３は、軒棟方向に並ばないように位置をずらして配置されている。水抜き用入口孔４１３の位置は適宜設定されるが、本実施形態では、棟側のリブ４１０の中央部に水抜き用入口孔４１３が形成されている。更に棟側のリブ４１０と軒側のリブ４１１には、導出孔２１よりも外側方における両側の端部にも水抜き用入口孔４１３が形成され、且つ棟側のリブ４１０における水抜き用入口孔４１３は、軒側のリブ４１１における水抜き用入口孔４１３よりも外側方にずれた位置に形成されている。尚、水流制御部４１２を構成するリブの個数は２個に限られず、水流制御部４１２が軒棟方向に並ぶ３個以上の複数のリブで構成されてもよい。また、外枠部４５には、軒棟方向と直交する方向の両側部における軒側端部に、それぞれ軒棟方向と交差する方向に貫通すると共に上方に開放されている水抜き用出口孔４１４が形成されている。更に、ベース体４には上下に貫通する複数の固定用孔４４が形成されている。この固定用孔４４は、ベース体４の上面に形成されている上方に突出する凸部４１７で開口している（図２（ｆ）参照）。
【００１７】
更に、ベース体４には、その上面から上方に突出する複数条のガイドリブ２２が形成されている。複数条のガイドリブ２２は導出孔２１よりも軒側の位置から切欠き部４３へ向けて軒棟方向に直線状に伸びるように形成されている。隣合うガイドリブ２２間の間隔は、このガイドリブ２２間に配線８が配置可能な程度の適宜の幅となっている。
【００１８】
複数のガイドリブ２２のうち、両側の最外部に位置する二つのガイドリブ２２には、後述する押さえ部材４７を固定するための固定用孔４６がそれぞれ形成されている。
【００１９】
ガイドリブ２２には、図３に示されるように、配線８固定用の凸部２５が形成されていてもよい。この凸部２５は、隣合うガイドリブ２２同士の対向面に形成される。図３に示される例では、凸部２５は上下方向に延びる一つの凸条であるが、凸部２５の形状は特に制限されない。このような凸部２５が形成される場合には、配線８が隣合うガイドリブ２２の間に一本ずつ配置される際に、凸部２５が配線８を押圧することで配線８の位置決めがしっかりとなされる。
【００２０】
ベース体４には、隣合うガイドリブ２２間の隙間やガイドリブ２２の上などの適宜の位置に、ガイドリブ２２間に配置される配線８の指標となるマーキング４１８，４１９，４２０が形成されていてもよい。この場合、複数種類の配線８を所定のガイドリブ２２間の隙間に配置することが容易になる。また、アース線が配置される隙間の両側のガイドリブ２２上に、アースの記号を表すマーキング４１９とアースの文字を表すマーキング４２０がそれぞれ形成されている。
【００２１】
カバー体５は、ベース体４を覆う部材である。図４に示されるカバー体５は、金属板材等の適宜の材料から形成される。カバー体５は、天板５１、棟片５２、軒片５３、側片５４，５４、下片５５，５５、上片５８及び水切り片５７を備える。天板５１は、平板状且つ平面視矩形状に形成されている。棟片５２は、天板５１の棟側の辺から棟側へ向けて斜め下方へ突出している。このように棟片５２が斜め下方へ突出していると、屋根上を流れる雨水等の水が配線引込具１まで到達しても、この水が棟片５２の傾斜に沿って配線引込具１を容易に乗り越えて、配線引込具１よりも軒側へと流れる。このため、配線引込具１の周りに水が溜まりにくくなり、配線引込具１の設置位置からの屋内への水の浸入が抑制される。尚、棟片５２は、天板５１の棟側の辺から下方へ突出してもよい。軒片５３は天板５１の軒側の辺から、側片５４，５４は天板５１及び棟片５２の軒棟方向と直交する方向の両側の各辺から、それぞれ下方に突出している。上片５８は、天板５１の軒棟方向の両側の各辺から、それぞれ軒棟方向と直交する外側方向へ突出している。この上片５８は、カバー体５の上面を流れる水がカバー体５の側部へ回り込みにくくなるようにするために形成されている。このような水の回り込みが抑制されると、カバー体５の側部からカバー体５へ水が浸入することが抑制される。下片５５，５５は、各側片５４，５４の下端から、軒棟方向と直交する外側方向へ突出している。水切り片５７は、棟片５２の下端及び各側片５４，５４の棟側端部から、棟側へ向けて突出している。軒片５３には、カバー体５の内側と外側とを軒棟方向に連通する切欠き部５６が形成されている。
【００２２】
また、本実施形態では、図４に示すように、カバー体５には、カバー片６００が設けられる。カバー片６００は、カバー体５と同様の材料から形成される。カバー片６００は、平板状に形成される。カバー片６００は、軒側へ向けて突出すると共に、後述する導入孔２４の上方に配置される。カバー片６００は、天板５１の軒側の辺から軒側へ向けて斜め下方へ突出している。カバー片６００の傾斜角度については、所定の傾斜角度にすることができ、例えば、カバー片６００が、天板５１に対してなす角度θを、１５度にすることができる。カバー片６００の軒棟方向における長さとしては、例えば、５０ｍｍとすることができる。カバー片６００の幅方向（軒棟方向と直交する方向）における長さとしては、カバー体５に設けられる切欠き部５６の幅方向における長さ以上に形成されているものであれば、特に限定はされない。すなわち、図４（ａ）及び（ｂ）に示すように、カバー片６００がカバー体５の上面の幅方向の略全長にわたって形成され、カバー片６００の幅方向における長さが、カバー体５の上面の幅方向における長さと同じ長さで形成されていてもよい。尚、カバー体５の上面の幅方向における長さとは、幅方向における天板５１の長さと、幅方向における上片５８，５８の長さとを合わせた長さのことをいう。また、カバー片６００の幅方向における長さが、切欠き部５６の幅方向における長さと同じ長さで形成されていてもよい。カバー片６００の形成方法としては、特に限定されない。カバー片６００は、例えば、金属板を折り返し加工するなどして、カバー体５の天板５１、棟片５２、軒片５３、側片５４，５４などと一体に形成されていてもよい。また、カバー片６００は、カバー体５とは別体で作製され、リベットなどの固定具を用いて、カバー片６００をカバー体５に取り付けてもよい。
【００２３】
更に、配線引込具１には、シール材９０（９１，９２）（図７及び図８参照）が設けられる。シール材９０（９１，９２）は、後述する導入孔２４の開口縁部と、配線８との間隙を閉塞する部材である。シール材９０（９１，９２）は、カバー体５とベース体４にそれぞれ設けられる。ベース体４に設けられるシール材９１は、ベース体４上の、ガイドリブ２２と切欠き部４３との間において、切欠き部４３を臨む位置に接着されるなどして取り付けられる（図２（ａ）参照）。このシール材９１の上面には、凹条９３が軒棟方向に伸びるように形成される。凹条９３は複数形成され、この複数の凹条９３は軒棟方向と直交する方向に並んでいる。この複数の凹条９３は、隣合うガイドリブ２２同士の間の隙間と合致する位置に形成される。凹条９３の断面形状は、図７に示されるように半円形状であっても、図８に示されるように軒棟方向に長い半楕円形状であってもよい。カバー体５に設けられるシール材９２は、カバー体５の天板５１の下面に、ベース体４に設けられたシール材９１と合致する位置に接着されるなどして取り付けられる（図４（ａ）参照）。このシール材９２の下面には、凹条９４が軒棟方向に伸びるように形成される。凹条９４は複数形成され、この複数の凹条９４は軒棟方向と直交する方向に並んでいる。カバー体５に設けられるシール材９２の凹条９４は、ベース体４に設けられるシール材９１の凹条９３と合致する位置に形成される。カバー体５に設けられるシール材９２の凹条９４の断面形状も、図７に示されるように半円形状であっても、図８に示されるように軒棟方向に長い半楕円形状であってもよい。この二つのシール材９１，９２が上下に対向し、このシール材９１，９２の間に配線８が挟まれる。この場合、配線引込具１への水の浸入が抑制される。このシール材９０（９１，９２）は弾性を有する。更にシール材９０（９１，９２）は水を透過させにくい材料で形成されている。シール材９０（９１，９２）の材料としては、例えば、ＥＰＤＭゴムなどの適宜のゴムやエラストマー、或いは独立気泡や半独立気泡を有する多孔質の部材などが挙げられる。
【００２４】
本実施形態では、配線引込具１が、押さえ部材４７を備えていてもよい。押さえ部材４７は、図５に示すように、平板状に形成され、その両側の端部と棟側の端部には下方へ突出する脚部４８が形成されている。この脚部４８は後述するように、ベース体４の外囲リブ４１５（軒側部位４１６を除く）の外側、並びに複数のガイドリブ２２のうち両側の最外部に位置する二つのガイドリブ２２の更に外側に配置される。更に押さえ部材４７の下面には弾性部材９６が取り付けられていてもよい（図５（ａ）参照）。弾性部材９６は弾性を有し、例えばベース体４の外囲リブ４１５における軒側部位４１６に取り付けられている弾性部材９５と同様の材質から形成される。この押さえ部材４７における弾性部材９６は、ベース体４の軒側部位４１６に取り付けられている弾性部材９５と合致する位置に取り付けられる。また、押さえ部材４７には、ベース体４における固定用孔４６と合致する位置に固定用孔４９が形成されている。
【００２５】
シール材９１がベース体４に、シール材９２がカバー体５にそれぞれ取り付けられ、ベース体４に押さえ部材４７が取り付けられ、更にベース体４が上方からカバー体５で覆われることで、本体部材２が構成される。
【００２６】
ベース体４に押さえ部材４７が取り付けられると、押さえ部材４７の脚部４８はベース体４の外囲リブ４１５（軒側部位４１６を除く）の外側、並びに複数のガイドリブ２２のうち両側の最外部に位置する二つのガイドリブ２２の更に外側に配置され、押さえ部材４７の固定用孔４９がベース体４における固定用孔４６と合致する位置に配置される。この状態で、釘やビス等の固定具が固定用孔４９及び固定用孔４６に打ち込まれることで、押さえ部材４７がベース体４に固定される。これにより押さえ部材４７は外囲リブ４１５の上方に配され、押さえ部材４７が外囲リブ４１５における軒側部位４１６を除く部位の上端に接し、押さえ部材４７と軒側部位４１６との間に生じる隙間が導出孔２１に連通する。更に押さえ部材４７は、ガイドリブ２２の上方に、ガイドリブ２２間の隙間を閉塞するように配置される。
【００２７】
ベース体４が上方からカバー体５で覆われると、ベース体４は、カバー体５の天板５１、棟片５２、軒片５３及び側片５４，５４で囲まれた内側に配置される。本体部材２の内部には、ベース体４とカバー体５との間に、配線空間部２３が形成される。配線空間部２３は、ベース体４と、カバー体５の天板５１、棟片５２、軒片５３及び側片５４，５４とで囲まれた空間である。配線空間部２３には、配線８が挿通される。また、ベース体４の導出孔２１は、外囲リブ４１５の内側並びに押さえ部材４７と軒側部位４１６との間の隙間を通じて、配線空間部２３とその下方の外側、つまり屋内とを連通している。
【００２８】
このように構成される本体部材２においては、ベース体４に形成されている切欠き部４３の外側に、カバー体５の軒片５３に形成されている切欠き部５６が重ねられている。これにより、配線空間部２３と外部とを連通する導入孔２４が形成されている。導入孔２４は、本体部材２の軒側端面において開口し、配線空間部２３とその外側、つまり屋外とを、軒棟方向に連通している。
【００２９】
また、配線空間部２３内において、ベース体４の複数条のガイドリブ２２は導出孔２１の軒側の位置から導入孔２４の近傍位置まで、軒棟方向に直線状に伸びるように形成されている。
【００３０】
更に、本体部材２には、導入孔２４にシール材９０（９１，９２）が配される。二つのシール材９１，９２は上下に重なりあって互いに弾性的に接触しており、カバー体５に設けられたシール材９２の凹条９４とベース体４に設けられたシール材９１の凹条９３とが対向することで配線空間部２３内と外部とを連通する複数の孔が形成される。この孔を除き、シール材９０（９１，９２）により導入孔２４が閉塞される。
【００３１】
図６に示される下部材３は、平板部３１と、筒状のリブ３２とを備える。平板部３１は、平板状且つ平面視矩形状に形成されている。平板部３１には上下に貫通する連通孔３３が形成されている。連通孔３３は、導出孔２１と合致する形状に形成されている。筒状のリブ３２は、平板部３１の連通孔３３の周縁から上方に突出するように形成されている。このリブ３２は、導出孔２１に挿通され得る形状に形成されている。また平板部３１には、ビスや釘等の固定具が挿通する複数の固定用孔３６が形成されている。
【００３２】
下部材３の平板部３１には、軒棟方向の両側の端縁にそれぞれ切り欠き状の指標３７が形成されており、この二つの指標３７は軒棟方向に並んでいる。平板部３１には、軒棟方向と直交する方向の両側の端縁にもそれぞれ切り欠き状の指標３７が形成されており、この二つの指標３７は軒棟方向と直交する方向に並んでいる。このような指標３７は、下部材３が屋根に設置される際の下部材３の位置合わせに利用される。
【００３３】
この配線引込具１を備える屋根構造について説明する。
【００３４】
屋根下地６は野地板などで構成される。野地板上には更にアスファルトルーフィング等の防水シートが設置されていてもよい。屋根下地６には、導出孔２１及び連通孔３３と合致する形状の通孔６１が形成される。
【００３５】
この屋根下地６の上に、下部材３及び複数の屋根材７が設置される。屋根材７は平板状であり、例えばスレート材から形成される。
【００３６】
屋根下地６上の、通孔６１よりも軒側に、複数の屋根材７（便宜上、一列目の屋根材７１という）が軒棟方向と直交する方向に並んで設置される。
【００３７】
屋根下地６上には、前記設置された一列目の屋根材７１の棟側部分に重ねて、更に複数の屋根材７（便宜上、二列目の屋根材７２という）が設置される。二列目の屋根材７２も、軒棟方向と直交する方向に並んで設置される。野地板上の、通孔６１が形成されている位置には、下部材３が設置される。下部材３は、平板部３１が屋根下地６にビスや釘などの固定具で固定されることで、設置される。下部材３は、その連通孔３３と屋根下地６の通孔６１とが重なる位置に設置される。
【００３８】
屋根下地６上には、二列目の屋根材７２の棟側部分に重ねて、更に複数の屋根材７（便宜上、三列目の屋根材７３という）が設置される。三列目の屋根材７３も、軒棟方向と直交する方向に並んで設置される。これらの三列目の屋根材７３のうち、下部材３と重なる屋根材７３には、筒状のリブ３２と重なる位置に、切り欠き又は開口が形成されている。この切り欠き又は開口を通して、筒状のリブ３２が三列目の屋根材７３よりも上方に突出する。
【００３９】
屋根下地６上には、三列目の屋根材７３の棟側部分に重ねて、更に複数の屋根材７（便宜上、四列目の屋根材７４という）が設置される。四列目の屋根材７４も、軒棟方向と直交する方向に並んで設置される。
【００４０】
ベース体４は三列目の屋根材７３上に設置される。ベース体４は、その固定用孔４４を通じてビスや釘などの固定具が三列目の屋根材７３に打ち込まれるなどして、設置される。ベース体４は、その導出孔２１と、下部材３の連通孔３３とが重なる位置に設置され、導出孔２１に筒状のリブ３２が挿通される。
【００４１】
この状態で、複数の配線８が、屋外から導出孔２１、連通孔３３を順次通過し、更に屋根下地６の通孔６１を通過して、屋内へ引き込まれるように設けられる。更にこの複数の配線８は、ガイドリブ２２の間に一本ずつ配置されることで、位置決めされて固定される。
【００４２】
続いて、ベース体４に押さえ部材４７が取り付けられる。これにより複数の配線８がベース体４と押さえ部材４７との間に挟まれることで保持され、配線８の配置位置の移動が拘束され、複数の配線８が縺れたりしないようになる。
【００４３】
続いて、カバー体５が、ベース体４を覆うように設置される。これにより本体部材２が構成される。このときカバー体５の水切り片５７は、三列目の屋根材７３と四列目の屋根材７４との間に差し入れられる。また、本体部材２の軒側端面には、シール材９０（９１，９２）が設けられた導入孔２４が配置されることになる。また、カバー体５のカバー片６００は、軒側へ向けて突出すると共に、導入孔２４の上方に配置される。
【００４４】
本実施形態では、図１に示すように、カバー体５のカバー片６００は、その軒側端部６００ａが、導入孔２４の開口縁部下端２４ａの水平位置Ｈ以下になるように設けられることが好ましい。すなわち、カバー体５のカバー片６００は、その軒側端部６００ａが、導入孔２４の開口縁部下端２４ａの水平位置Ｈと同じ位置になるように設けられてもよい。また、カバー体５のカバー片６００は、その軒側端部６００ａが、導入孔２４の開口縁部下端２４ａの水平位置Ｈよりも下方の位置に設けられてもよい。図１に示す構造では、カバー片６００の軒側端部６００ａは、導入孔２４の開口縁部下端２４ａの水平位置Ｈよりも下方の位置に設けられている。
【００４５】
カバー体５は、ビスや釘等の固定具９によりベース体４に固定される。固定具９は、例えばカバー体５の棟片５２、軒片５３、側片５４，５４などと、ベース体４の外枠部４５とが重なる位置を貫通するように打ち込まれる。
【００４６】
このようにして配線引込具１が設置されると、複数の配線８は、屋外から、配線引込具１の導入孔２４に挿入される。このとき、カバー体５に設けられたシール材９２の凹条９４と、ベース体４に設けられたシール材９１の凹条９３との間に孔が形成されている場合は、この孔に配線８が配置される。二つのシール材９１，９２は凹条９３，９４で配線８に弾性接触し、そのため前記孔は配線８によって埋められる。この結果、シール材９０（９１，９２）によって導入孔２４の開口縁部と、配線８との間隙が閉塞される。そして、配線８は、配線空間部２３、押さえ部材４７と軒側部位４１６との間の隙間、導出孔２１、連通孔３３を順次通過し、更に屋根下地６の通孔６１を通過して、屋内へ引き込まれるように配置される。
【００４７】
このような屋根構造は、屋根に太陽電池モジュール１０１等の屋上設備機器１０が設置される場合において、この屋上設備機器１０に接続されている配線８が屋内に引き込まれる場合に、設けられる。
【００４８】
図１０は、屋根に太陽電池モジュール１０１が設置される様子を示す。屋根材７上には、軒棟方向に長い複数のフレーム材１０２が、軒棟方向と直交する方向に並んで設置される。太陽電池モジュール１０１は、フレーム材１０２の上方に設置される。これにより、太陽電池モジュール１０１が、屋根材７の上方に、この太陽電池モジュール１０１と屋根材７との間に間隔があくように設置される。複数の太陽電池モジュール１０１は、軒棟方向、並びに軒棟方向と直交する方向にマトリックス状に並んで、フレーム材１０２の上方に設置される。この際、太陽電池モジュール１０１は、軒棟方向、並びに軒棟方向と直交する方向に隣接する太陽電池モジュール１０１と太陽電池モジュール１０１との間に、隙間Ｓが形成されるようにして設置される。太陽電池モジュール１０１に接続されている配線８は、太陽電池モジュール１０１と屋根材７との間で引き回され、配線引込具１から屋内へ引き込まれる。
【００４９】
尚、上記に示した実施形態では、配線引込具１のカバー体５に設けられるカバー片６００が、カバー体５の天板５１の軒側の辺から軒側へ向けて斜め下方へ突出するように形成される構成について説明したが、本発明はこれに限られない。
【００５０】
本発明に係る配線引込具１は、例えば、図９（ａ）及び（ｂ）に示すような構造であってもよい。図９（ａ）及び（ｂ）に示す構造では、図１に示す構造において、カバー体５に設けられるカバー片６００の形状が変更されている。その他の構成は、上記図１のものと同様である。図９（ａ）及び（ｂ）には、図１に示す構造と共通する要素に、図１の場合と同じ符号を付している。
【００５１】
図９（ａ）に示す構造では、カバー片６００は、第一支持片６００ｂと、第二支持片６００ｃとを備えて、断面視Ｌ字状に形成されている。すなわち、カバー片６００は、カバー体５の天板５１の軒側の辺から軒側へ向けて突出する平板状の第一支持片６００ｂと、この第一支持片６００ｂの軒側の辺から下方に向かって略垂直に突出する平板状の第二支持片６００ｃとからなる。カバー片６００の幅方向における長さとしては、カバー体５に設けられる切欠き部５６の幅方向における長さ以上に形成されているものであれば、特に限定はされない。すなわち、カバー片６００がカバー体５の上面の幅方向の略全長にわたって形成され、カバー片６００の幅方向における長さが、カバー体５の上面の幅方向における長さと同じ長さで形成されていてもよい。また、カバー片６００の幅方向における長さが、切欠き部５６の幅方向における長さと同じ長さで形成されていてもよい。また、本実施形態では、図９（ａ）に示すように、カバー体５のカバー片６００は、その軒側端部６００ａが、導入孔２４の開口縁部下端２４ａの水平位置Ｈ以下になるように設けられることが好ましい。尚、本実施形態においては、軒側端部６００ａとは、第二支持片６００ｃの下端部のことをいう。すなわち、カバー体５のカバー片６００は、その軒側端部６００ａ（第二支持片６００ｃの下端部）が、導入孔２４の開口縁部下端２４ａの水平位置Ｈと同じ位置になるように設けられてもよい。また、カバー体５のカバー片６００は、その軒側端部６００ａ（第二支持片６００ｃの下端部）が、導入孔２４の開口縁部下端２４ａの水平位置Ｈよりも下方の位置に設けられてもよい。
【００５２】
図９（ｂ）に示す構造では、カバー片６００は、カバー体５の軒片５３から軒側へ向けて斜め下方へ突出するように形成されている。カバー片６００の棟側端部の位置（軒片５３から突出させる位置）は、軒片５３に形成された切欠き部５６の上方の位置であれば、特に限定されず、適宜の位置を設定することができる。カバー片６００の幅方向における長さとしては、カバー体５に設けられる切欠き部５６の幅方向における長さ以上に形成されているものであれば、特に限定はされない。すなわち、カバー片６００が軒片５３の幅方向の略全長にわたって形成され、カバー片６００の幅方向における長さが、軒片５３の幅方向における長さと同じ長さで形成されていてもよい。また、カバー片６００の幅方向における長さが、切欠き部５６の幅方向における長さと同じ長さで形成されていてもよい。また、本実施形態では、図９（ｂ）に示すように、カバー体５のカバー片６００は、その軒側端部６００ａが、導入孔２４の開口縁部下端２４ａの水平位置Ｈ以下になるように設けられることが好ましい。すなわち、カバー体５のカバー片６００は、その軒側端部６００ａが、導入孔２４の開口縁部下端２４ａの水平位置Ｈと同じ位置になるように設けられてもよい。また、カバー体５のカバー片６００は、その軒側端部６００ａが、導入孔２４の開口縁部下端２４ａの水平位置Ｈよりも下方の位置に設けられてもよい。
【００５３】
このように、本発明に係る配線引込具１では、シール材９０（９１，９２）が設けられる導入孔２４の上方に、軒側へ向けて突出するカバー片６００が配置される。これにより、太陽電池モジュール１０１、１０１の間に形成された隙間Ｓから太陽光の紫外線が入射して、屋根材７と屋上設備機器１０との間に紫外線が照射されても、この紫外線をシール材９０（９１，９２）にあたりにくくすることができる。この結果、シール材９０（９１，９２）の劣化を抑制して、防水性能を確保することができる。また、紫外線の照射によるシール材９０（９１，９２）の劣化について考慮しなくてもよくなるため、従来のように配線引込具１の取り付け位置を制限する必要がなくなる。これにより、従来では設置が難しかった、屋上設備機器１０の外側や、隣接する屋上設備機器１０、１０のつなぎ目（隙間Ｓ）箇所の下側などに配線引込具１を設置することができる。この結果、施工の際に配線引込具１の設置位置を任意に選択することができるようになり、施工性を向上させることができる。
【００５４】
更に、屋根材７上で雨水等の水が屋根の傾斜に沿って軒側へ流れる場合、配線引込具１の方に水が流れてきても、カバー片６００によって水を軒側へ排水することができる。この結果、配線引込具１を介して水が屋内へ浸入するのが抑制され、防水性を向上させることができる。
【００５５】
また、本発明に係る配線引込具１では、カバー体５のカバー片６００は、その軒側端部６００ａが、導入孔２４の開口縁部下端２４ａの水平位置Ｈ以下になるように設けられる。この場合、屋根材７と屋上設備機器１０との間に照射された太陽光の紫外線を、導入孔２４に設けられたシール材９０（９１，９２）に更にあたりにくくすることができ、シール材９０（９１，９２）の劣化を効果的に抑制することができる。
【００５６】
尚、本発明に係る配線引込具１の構成は、本発明の範囲及び目的を逸脱しない限り上記の実施形態に制限されるものではなく、例えば上記の実施形態の構成が部分的に取り除かれたり、その他の適宜の設計変更がされてもよい。
【符号の説明】
【００５７】
１        配線引込具
２        本体部材
４        ベース体
５        カバー体
７        屋根材
８        配線
２１      導出孔
２３      配線空間部
２４      導入孔
２４ａ    開口縁部下端
９０      シール材
６００    カバー片
６００ａ  軒側端部
Ｈ        水平位置
【図１】
2014198943.tif 000003
【図２】
2014198943.tif 000004
【図３】
2014198943.tif 000005
【図４】
2014198943.tif 000006
【図５】
2014198943.tif 000007
【図６】
2014198943.tif 000008
【図７】
2014198943.tif 000009
【図８】
2014198943.tif 000010
【図９】
2014198943.tif 000011
【図１０】
2014198943.tif 000012